(57)【特許請求の範囲】
【請求項１】
収納室の開口部を開閉する扉の開状態を検知してから一定時間以上が経過し、前記収納室内の温度が設定温度以上であり、且つ前記収納室内の重量に変動がない場合には、前記扉が閉め忘れ状態であると判定して、前記扉が閉め忘れ状態であることを使用者に報知する冷蔵庫。
【請求項２】
収納室と、
前記収納室の開口部を開閉する扉と、
前記扉の開閉を検知して開閉状態信号を出力する扉スイッチと、
前記収納室内の温度を検知して温度情報を出力するサーミスタと、
前記収納室内の収納品の重量を測定して重量情報を出力する重量センサと、
前記開閉状態信号、前記温度情報及び前記重量情報が入力される制御部と、
前記制御部によって動作を制御される報知部とを備え、
前記制御部は、
前記開閉状態信号から、前記扉が開状態であることを検知してから設定時間以上が経過し、
前記温度情報から、前記収納室内の温度が設定温度以上であり、
前記重量情報から、前記扉が開状態であることを検知してから前記設定時間以上が経過した後に前記収納品の重量に変動がない場合には、前記扉が閉め忘れ状態であると判定し、
前記報知部は、使用者に前記扉が閉め忘れ状態であることを報知する冷蔵庫。
【請求項３】
前記収納室を複数備え、
前記設定温度が前記収納室ごとに異なる請求項１又は請求項２に記載の冷蔵庫。
【発明の詳細な説明】
【技術分野】
【０００１】  本発明は、収納室の扉の閉め忘れを報知可能な冷蔵庫に関する。
【背景技術】
【０００２】  従来、冷蔵庫の収納室の扉の閉め忘れをアラーム音によって報知する冷蔵庫が知られている。このような冷蔵庫では、収納室への収納品の収納中又は収納室からの収納品の取り出し中に不要なアラーム音が鳴ってしまうことがあり、使用者に煩わしさを感じさせてしまうことがある。【０００３】  従来技術の一例である特許文献１には、アラームをオフ設定に変更可能な冷蔵庫が開示されている。
【先行技術文献】
【特許文献】
【０００４】
【特許文献１】特開２０１１−１５８２３４号公報
【発明の概要】
【発明が解決しようとする課題】
【０００５】  しかしながら、上記の従来技術によれば、アラームがオフ設定に変更された場合には、実際に扉が閉め忘れられた状態にあるときにもアラームが鳴らない。そのため、扉の閉め忘れを防止することが困難である、という問題があった。【０００６】  本発明は、上記に鑑みてなされたものであって、不要なアラーム音を防止しつつ、扉が閉め忘れられた状態にあるときには使用者に報知する冷蔵庫を得ることを目的とする。
【課題を解決するための手段】
【０００７】
上述した課題を解決し、目的を達成するために、本発明に係る冷蔵庫は、収納室の開口部を開閉する扉の開状態を検知してから一定時間以上が経過し、前記収納室内の温度が設定温度以上であり、且つ前記収納室内の重量に変動がない場合には、前記扉が閉め忘れ状態であると判定して、前記扉が閉め忘れ状態であることを使用者に報知することを特徴とする。
【発明の効果】
【０００８】  本発明に係る冷蔵庫は、不要なアラーム音を防止しつつ、扉が閉め忘れられた状態にあるときには使用者に報知することができる、という効果を奏する。
【図面の簡単な説明】
【０００９】
【図１】実施の形態に係る冷蔵庫の正面を示す図
【図２】図１におけるＩＩ−ＩＩ断面を示す図
【図３】実施の形態における制御ブロックを示す図
【図４】実施の形態における制御フローチャート
【発明を実施するための形態】
【００１０】  以下に、本発明の実施の形態に係る冷蔵庫を図面に基づいて詳細に説明する。なお、この実施の形態によりこの発明が限定されるものではない。
【００１１】実施の形態．  図１は、本実施の形態に係る冷蔵庫の正面を示す図である。図２は、図１におけるＩＩ−ＩＩ断面を示す図である。なお、図２においてＩＩ−ＩＩ断面上に存在する構成とＩＩ−ＩＩ断面上に存在しないが同様の位置に配される構成とは、カンマによって区切って表している。一例として、ＩＩ−ＩＩ断面上に存在する切替室２ｃとＩＩ−ＩＩ断面上に存在しないが同様の位置に配される製氷室２ｂとは、カンマによって区切って表している。
【００１２】  冷蔵庫１は、互いに仕切られた複数の収納室２が設けられた箱体３を備える。ここでは、複数の収納室２は、収納品を保存可能な冷蔵室２ａ、氷を製造して保存可能な製氷室２ｂ、温度切替が可能な切替室２ｃ、収納品を冷凍保存可能な冷凍室２ｄ及び野菜を保存可能な野菜室２ｅである。なお、収納品の一例は食品である。なお、冷蔵庫１は、冷凍冷蔵庫である。
【００１３】  冷蔵室２ａは、他の収納室２よりも上段に設けられている。冷蔵室２ａの前面には開口部４ａが設けられている。冷蔵庫１は、開口部４ａを開閉可能な観音開き式の１対の扉５ａを備える。冷蔵庫１は、１対の扉５ａの開閉状態を検知可能な扉スイッチ６ａを備える。扉スイッチ６ａは、１対の扉５ａの開閉状態に応じてオン又はオフし、１対の扉５ａの開閉状態に応じた信号を出力する。一例として、扉スイッチ６ａは、扉５ａの開時にはオンして開扉信号を出力し、又は、扉スイッチ６ａは、扉５ａの閉時にオンして閉扉信号を出力する。
【００１４】  製氷室２ｂは、冷蔵室２ａの下段に設けられている。製氷室２ｂの前面には開口部４ｂが設けられている。冷蔵庫１は、開口部４ｂを開閉可能な引き出し式の扉５ｂを備える。冷蔵庫１は、扉５ｂの開閉状態を検知可能な扉スイッチ６ｂを備える。扉スイッチ６ｂは、扉５ｂの開閉状態に応じてオン又はオフし、扉５ｂの開閉状態に応じた信号を出力する。一例として、扉スイッチ６ｂは、扉５ｂの開時にはオンして開扉信号を出力し、又は、扉スイッチ６ｂは、扉５ｂの閉時にオンして閉扉信号を出力する。
【００１５】  切替室２ｃは、冷蔵室２ａの下段であって製氷室２ｂの隣に同じ高さで設けられている。切替室２ｃの前面には開口部４ｃが設けられている。冷蔵庫１は、開口部４ｃを開閉可能な引き出し式の扉５ｃを備える。冷蔵庫１は、扉５ｃの開閉状態を検知可能な扉スイッチ６ｃを備える。扉スイッチ６ｃは、扉５ｃの開閉状態に応じてオン又はオフし、扉５ｃの開閉状態に応じた信号を出力する。一例として、扉スイッチ６ｃは、扉５ｃの開時にはオンして開扉信号を出力し、又は、扉スイッチ６ｃは、扉５ｃの閉時にオンして閉扉信号を出力する。
【００１６】  冷凍室２ｄは、製氷室２ｂ及び切替室２ｃの下段に設けられている。冷凍室２ｄの前面には開口部４ｄが設けられている。冷蔵庫１は、開口部４ｄを開閉可能な引き出し式の扉５ｄを備える。冷蔵庫１は、扉５ｄの開閉状態を検知可能な扉スイッチ６ｄを備える。扉スイッチ６ｄは、扉５ｄの開閉状態に応じてオン又はオフし、扉５ｄの開閉状態に応じた信号を出力する。一例として、扉スイッチ６ｄは、扉５ｄの開時にはオンして開扉信号を出力し、又は、扉スイッチ６ｄは、扉５ｄの閉時にオンして閉扉信号を出力する。
【００１７】  野菜室２ｅは、冷凍室２ｄの下段に設けられている。野菜室２ｅの前面には開口部４ｅが設けられている。冷蔵庫１は、開口部４ｅを開閉可能な引き出し式の扉５ｅを備える。冷蔵庫１は、扉５ｅの開閉状態を検知可能な扉スイッチ６ｅを備える。扉スイッチ６ｅは、扉５ｅの開閉状態に応じてオン又はオフし、扉５ｅの開閉状態に応じた信号を出力する。一例として、扉スイッチ６ｅは、扉５ｅの開時にはオンして開扉信号を出力し、又は、扉スイッチ６ｅは、扉５ｅの閉時にオンして閉扉信号を出力する。
【００１８】  また、以下の説明では、扉５ａ，５ｂ，５ｃ，５ｄ，５ｅの各々を区別しないときには扉５ａ，５ｂ，５ｃ，５ｄ，５ｅをまとめて扉５と表記する。また、開口部４ａ，４ｂ，４ｃ，４ｄ，４ｅの各々を区別しないときには開口部４ａ，４ｂ，４ｃ，４ｄ，４ｅをまとめて開口部４と表記する。また、扉スイッチ６ａ，６ｂ，６ｃ，６ｄ，６ｅの各々を区別しないときには扉スイッチ６ａ，６ｂ，６ｃ，６ｄ，６ｅをまとめて扉スイッチ６と表記する。
【００１９】  冷蔵庫１は、扉５ａに設けられた操作パネル７を備える。操作パネル７は、使用者の操作内容に応じて冷蔵庫１の設定を行うユーザインターフェースである。
【００２０】  冷蔵庫１は、アラーム１０を備える。アラーム１０は、アラーム音を発生する。アラーム１０は、扉５が閉め忘れ状態であることをアラーム音によって使用者に報知する報知部である。なお、アラーム音には音声も含まれる。アラーム１０は、冷蔵庫１の正面の上部に設けられている。
【００２１】  冷蔵庫１は、制御基板２５を備える。制御基板２５は、冷蔵庫１の上面の背面側に設けられている。
【００２２】  ここで、冷蔵庫１の内部構成について簡単に説明する。箱体３内には、冷蔵庫１の背面側に風路１５が設けられている。風路１５は、冷凍室２ｄと冷蔵室２ａとを連通する。風路１５内には、冷気を生成する冷却器１６及び冷気を循環させるファン１７が設けられている。冷蔵庫１は、冷蔵庫１の背面側に設けられた機械室１８内に圧縮機１９を備える。圧縮機１９及び冷却器１６は、冷凍サイクルの構成要素の一部であり、ここでは、冷凍サイクルの他の構成要素の図示は省略する。
【００２３】  圧縮機１９が駆動されると、冷媒は冷凍サイクル内を循環する。冷却器１６は、周囲の空気と冷媒との熱交換を行い、空気が冷却されて冷気が生成される。この冷気は、ファン１７の回転によって風路１５内を通り、更には冷蔵室２ａ、帰還路２０、製氷室２ｂ、切替室２ｃ、冷凍室２ｄ及び野菜室２ｅを通ることで箱体３内を循環する。なお、収納室２への冷気の流量は、ダンパ２１，２１ａによって調整される。また、冷蔵庫１の冷却機能は、圧縮機１９の回転数及びファン１７の回転数によって調整される。
【００２４】  また、冷蔵庫１は、サーミスタ８ａ，８ｂ，８ｃ，８ｄ，８ｅを備える。冷蔵室２ａ内には冷蔵室２ａ内の温度を検知して温度情報を出力するサーミスタ８ａが設けられている。製氷室２ｂ内には製氷室２ｂ内の温度を検知して温度情報を出力するサーミスタ８ｂが設けられている。切替室２ｃ内には切替室２ｃ内の温度を検知して温度情報を出力するサーミスタ８ｃが設けられている。冷凍室２ｄ内には冷凍室２ｄ内の温度を検知して温度情報を出力するサーミスタ８ｄが設けられている。野菜室２ｅ内には野菜室２ｅ内の温度を検知して温度情報を出力するサーミスタ８ｅが設けられている。
【００２５】  また、冷蔵庫１は、重量センサ９ａ１，９ａ２，９ｂ，９ｃ，９ｄ，９ｅを備える。冷蔵室２ａ内には冷蔵室２ａ内の収納品の重量を検知して重量情報を出力する重量センサ９ａ１，９ａ２が設けられている。なお、重量センサ９ａ１は、冷蔵室２ａ内の下段に設けられ、重量センサ９ａ２は、冷蔵室２ａ内の上段に設けられている。製氷室２ｂ内には製氷室２ｂ内の収納品の重量を検知して重量情報を出力する重量センサ９ｂが設けられている。切替室２ｃ内には切替室２ｃ内の収納品の重量を検知して重量情報を出力する重量センサ９ｃが設けられている。冷凍室２ｄ内には冷凍室２ｄ内の収納品の重量を検知して重量情報を出力する重量センサ９ｄが設けられている。野菜室２ｅ内には野菜室２ｅ内の収納品の重量を検知して重量情報を出力する重量センサ９ｅが設けられている。
【００２６】  冷蔵庫１は、サーミスタ８ａ，８ｂ，８ｃ，８ｄ，８ｅ及び重量センサ９ａ１，９ａ２，９ｂ，９ｃ，９ｄ，９ｅによって、各室内の温度を検知しつつ、各室内の収納品の重量を検知することができる。
【００２７】  また、以下の説明では、サーミスタ８ａ，８ｂ，８ｃ，８ｄ，８ｅの各々を区別しないときにはサーミスタ８ａ，８ｂ，８ｃ，８ｄ，８ｅをまとめてサーミスタ８と表記する。また、重量センサ９ａ１，９ａ２，９ｂ，９ｃ，９ｄ，９ｅの各々を区別しないときには重量センサ９ａ１，９ａ２，９ｂ，９ｃ，９ｄ，９ｅをまとめて重量センサ９と表記する。
【００２８】  図３は、本実施の形態における制御ブロックを示す図である。制御基板２５は、制御回路を備えた基板であり、マイクロコンピュータ２６及びクロック２７を備える。マイクロコンピュータ２６は、冷蔵庫１を制御する制御部であり、プロセッサ２６ａ及び記憶回路２６ｂを備える。プロセッサ２６ａは、記憶回路２６ｂに記憶されたプログラムを実行し、このプログラムに記載された制御方法を実行する。プロセッサ２６ａの一例はＣＰＵ（Ｃｅｎｔｒａｌ  Ｐｒｏｃｅｓｓｉｎｇ  Ｕｎｉｔ）であり、記憶回路２６ｂの一例は半導体メモリである。クロック２７は、マイクロコンピュータ２６に時刻情報を出力する。
【００２９】  扉スイッチ６ａは、冷蔵室２ａの扉５ａの開閉状態を示す開閉状態信号をマイクロコンピュータ２６に出力する。扉スイッチ６ｂは、製氷室２ｂの扉５ｂの開閉状態を示す開閉状態信号をマイクロコンピュータ２６に出力する。扉スイッチ６ｃは、切替室２ｃの扉５ｃの開閉状態を示す開閉状態信号をマイクロコンピュータ２６に出力する。扉スイッチ６ｄは、冷凍室２ｄの扉５ｄの開閉状態を示す開閉状態信号をマイクロコンピュータ２６に出力する。扉スイッチ６ｅは、野菜室２ｅの扉５ｅの開閉状態を示す開閉状態信号をマイクロコンピュータ２６に出力する。なお、開閉状態信号は、開扉信号又は閉扉信号である。
【００３０】  サーミスタ８ａは、冷蔵室２ａ内の温度情報をマイクロコンピュータ２６に出力する。サーミスタ８ｂは、製氷室２ｂ内の温度情報をマイクロコンピュータ２６に出力する。サーミスタ８ｃは、切替室２ｃ内の温度情報をマイクロコンピュータ２６に出力する。サーミスタ８ｄは、冷凍室２ｄ内の温度情報をマイクロコンピュータ２６に出力する。サーミスタ８ｅは、野菜室２ｅ内の温度情報をマイクロコンピュータ２６に出力する。
【００３１】  重量センサ９ａ１は、冷蔵室２ａの下段の収納品の重量情報をマイクロコンピュータ２６に出力する。重量センサ９ａ２は、冷蔵室２ａの上段の収納品の重量情報をマイクロコンピュータ２６に出力する。重量センサ９ｂは、製氷室２ｂの収納品の重量情報をマイクロコンピュータ２６に出力する。重量センサ９ｃは、切替室２ｃの収納品の重量情報をマイクロコンピュータ２６に出力する。重量センサ９ｄは、冷凍室２ｄの収納品の重量情報をマイクロコンピュータ２６に出力する。重量センサ９ｅは、野菜室２ｅの収納品の重量情報をマイクロコンピュータ２６に出力する。
【００３２】  マイクロコンピュータ２６は、扉スイッチ６ａ，６ｂ，６ｃ，６ｄ，６ｅの出力、サーミスタ８ａ，８ｂ，８ｃ，８ｄ，８ｅの出力、重量センサ９ａ１，９ａ２，９ｂ，９ｃ，９ｄ，９ｅ及びクロック２７の出力に基づいてアラーム１０を制御する。すなわち、マイクロコンピュータ２６は、収納室２の扉５が閉め忘れ状態にあると判定した場合には、アラーム１０にアラーム信号を出力し、その他の場合にはアラーム１０にアラーム信号を出力しない。アラーム信号が入力されたアラーム１０は、アラーム音を鳴らす。
【００３３】  図４は、本実施の形態における制御フローチャートである。使用者が操作パネル７を操作してアラーム１０を鳴らす温度であるアラーム設定温度を設定すると、処理をスタートする。なお、アラーム設定温度は、冷蔵庫１内に対して一つの温度を設定してもよいが、冷蔵室２ａ、製氷室２ｂ、切替室２ｃ、冷凍室２ｄ及び野菜室２ｅは、各々適切な温度が異なるため、室ごとにアラーム設定温度を設定することが好ましい。
【００３４】  まず、処理をスタートすると、マイクロコンピュータ２６は、扉スイッチ６の出力を検出する（Ｓ１）。次に、マイクロコンピュータ２６は、扉スイッチ６の出力から収納室２の扉５が開状態であるか否かを判定する（Ｓ２）。扉５が開状態でない場合（Ｓ２：Ｎｏ）には、アラーム１０を鳴らす必要がないのでＳ１に戻る。扉５が開状態である場合（Ｓ２：Ｙｅｓ）には、マイクロコンピュータ２６は、収納室２の重量センサ９の出力を検出し、すなわち第１の重量情報Ｍ１を計測し（Ｓ３）、計時を開始する（Ｓ４）。
【００３５】  そして、マイクロコンピュータ２６は、再び扉スイッチ６の出力を検出し（Ｓ５）、扉スイッチ６の出力から収納室２の扉５が閉状態であるか否かを判定する（Ｓ６）。扉５が閉状態である場合（Ｓ６：Ｙｅｓ）には、アラーム１０を鳴らす必要がないのでＳ１に戻る。扉５が閉状態でない場合（Ｓ６：Ｎｏ）には、Ｓ４で計時を開始してからの時間がアラーム設定時間以上であるか否か、すなわち扉５の開状態が設定時間以上継続したか否かを判定する（Ｓ７）。ここで、アラーム設定時間は、予め決められた一定時間である。計時を開始してからの時間がアラーム設定時間以上でない場合（Ｓ７：Ｎｏ）には、この時点ではアラーム１０を鳴らす必要がないのでＳ５に戻る。計時を開始してからの時間がアラーム設定時間以上である場合（Ｓ７：Ｙｅｓ）には、マイクロコンピュータ２６は、収納室２のサーミスタ８の出力を検出し（Ｓ８）、アラーム設定温度以上か否かを判定する（Ｓ９）。サーミスタ８の出力である温度情報がアラーム設定温度以上でない場合（Ｓ９：Ｎｏ）には、収納室２内の温度を維持できているためアラーム１０を鳴らす必要がないのでＳ１に戻る。サーミスタ８の出力である温度情報がアラーム設定温度以上である場合（Ｓ９：Ｙｅｓ）には、マイクロコンピュータ２６は、収納室２の重量センサ９の出力を検出し、すなわち第２の重量情報Ｍ２を計測する（Ｓ１０）。
【００３６】  次に、マイクロコンピュータ２６は、第１の重量情報Ｍ１と第２の重量情報Ｍ２とが等しいか否かを判定する（Ｓ１１）。第１の重量情報Ｍ１と第２の重量情報Ｍ２とが異なる場合（Ｓ１１：Ｎｏ）には、マイクロコンピュータ２６は、収納室２への収納品の収納中又は収納室２からの収納品の取り出し中であると判定して、アラーム１０を鳴らさずにＳ１に戻る。第１の重量情報Ｍ１と第２の重量情報Ｍ２とが等しい場合（Ｓ１１：Ｙｅｓ）には、マイクロコンピュータ２６は、扉５が閉め忘れ状態であると判定して、アラーム１０に信号を出力してアラーム１０を鳴らし（Ｓ１２）、処理をエンドする。
【００３７】  マイクロコンピュータ２６は、扉スイッチ６ａ，６ｂ，６ｃ，６ｄ，６ｅの出力を監視し、上記のような制御処理を扉５ａ，５ｂ，５ｃ，５ｄ，５ｅに対して実行する。
【００３８】  本実施の形態によれば、収納室２への収納品の収納中又は収納室２からの収納品の取り出し中にはアラーム１０のアラーム音が鳴らず、扉５が閉め忘れ状態であるときにアラーム１０が鳴る。
【００３９】  すなわち、本実施の形態によれば、冷蔵庫１への収納品の収納中又は冷蔵庫１からの収納品の取り出し中にアラーム１０が鳴ることがなく、使用者は冷蔵庫１の使用中の不要なアラーム音への煩わしさを感じることがない。また、収納室２への収納品の収納又は収納室２からの収納品の取り出しに時間を要したとしても、寒冷地又は冬場であれば、収納室２内の温度を維持できている場合も多い。本実施の形態では、収納室２内の温度を維持できているか否かの判定を行うことを前提としているので、収納室２内の温度を維持できている場合に不要なアラーム音が鳴ってしまうことを防止することができる。
【００４０】  なお、複数の収納室２の配置、個数及び種類は、図示例に限定されない。
【００４１】  本実施の形態では、アラーム音によって扉５が閉め忘れ状態であることを報知しているが、本発明はこれに限定されるものではなく、アラーム表示によって扉５が閉め忘れ状態であることを使用者に報知してもよい。なお、このアラーム表示は、一例として操作パネルに表示されればよい。
【００４２】  なお、本実施の形態の冷蔵庫には、ユーザインターフェースに操作パネルが設けられているが、本発明はこれに限定されるものではなく、操作パネルに代えて操作ボタンが設けられていてもよい。又は、操作パネルに代えて、又は操作パネルと共に、ユーザインターフェースに冷蔵庫と無線通信可能な端末が用いられてもよい。このようなインターフェースをまとめて操作部と呼んでもよい。
【００４３】  また、１対の扉５ａは観音開き式であるとし、扉５ｂから５ｅは引き出し式としたが、本発明はこの開閉方式に限定されるものではない。
【００４４】  以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４５】  １  冷蔵庫、２  収納室、２ａ  冷蔵室、２ｂ  製氷室、２ｃ  切替室、２ｄ  冷凍室、２ｅ  野菜室、３  箱体、４，４ａ，４ｂ，４ｃ，４ｄ，４ｅ  開口部、５，５ａ，５ｂ，５ｃ，５ｄ，５ｅ  扉、６，６ａ，６ｂ，６ｃ，６ｄ，６ｅ  扉スイッチ、７  操作パネル、８，８ａ，８ｂ，８ｃ，８ｄ，８ｅ  サーミスタ、９，９ａ１，９ａ２，９ｂ，９ｃ，９ｄ，９ｅ  重量センサ、１０  アラーム、１５  風路、１６  冷却器、１７  ファン、１８  機械室、１９  圧縮機、２０  帰還路、２１，２１ａ  ダンパ、２５  制御基板、２６  マイクロコンピュータ、２６ａ  プロセッサ、２６ｂ  記憶回路、２７  クロック。
【図１】
0006591090.tif 000002
【図２】
0006591090.tif 000003
【図３】
0006591090.tif 000004
【図４】
0006591090.tif 000005